(57)【要約】【課題】異物の侵入を抑制することができる表示装置を提供する。【解決手段】表示装置１０は、プロジェクタユニット１１とベース部材１４と装置カバー１８とを備える。装置カバー１８の端部には、装置カバー１８の端部の厚さ方向に並ぶ２つの端面１８３１ａ、１８３１ｂと、２つの端面１８３１ａ、１８３１ｂの間に介在し２つの端面１８３１ａ、１８３１ｂに交差する段差面１８３１ｃと、が設けられている。また、プロジェクタユニット１１のホルダ１１４の立設部１１４ａにおける装置カバー１８の端部に接触する部位には、端面１８３１ａに当接する立設部１１４ａの端面１４２１ａと、端面１８３１ｂに当接する立設部１１４ａの端面１４２１ｂと、段差面１８３１ｃに当接する立設部１１４ａの先端部の側面１４２１ｃと、が設けられている。【選択図】図２
2017167293.tif 000002
【特許請求の範囲】
【請求項１】
表示光を空間に向けて出射するプロジェクタユニットと、
前記プロジェクタユニットが固定され、前記空間の一部を覆うベース部材と、
前記プロジェクタユニットおよび前記ベース部材に装着されることにより、前記プロジェクタユニットおよび前記ベース部材とともに前記空間を覆うカバーと、を備え、
前記カバーの端部には、前記端部の厚さ方向に並ぶ複数の端面と、前記複数の端面のうちの隣り合う２つの端面の間に介在し前記隣り合う２つの端面に交差する段差面と、が設けられ、
前記プロジェクタユニット及び前記ベース部材の少なくも一方における前記カバーの端部に接触する部位には、前記端面に当接する第１当接面と、前記段差面に当接する第２当接面と、が設けられる、
表示装置。
【請求項２】
前記空間内に位置し、前記プロジェクタユニットからの前記表示光を反射する少なくとも一つの反射ユニットと、
前記反射ユニットからの前記表示光を結像するスクリーンと、を備える、
請求項１に記載の表示装置。
【請求項３】
前記カバーの端部には、前記カバーより薄い薄肉部が設けられ、
前記複数の端面は、前記薄肉部の端面と、前記カバーの端部における前記薄肉部以外の端面と、から構成され、
前記段差面は、前記薄肉部の側面から構成されている、
請求項１または２に記載の表示装置。
【発明の詳細な説明】
【技術分野】
【０００１】
本発明は、表示装置に関する。
【背景技術】
【０００２】
表示装置から出射される表示光を複数のミラーを用いてリフレクタに導く構成のヘッドアップディスプレイ装置が提案されている（例えば特許文献１参照）。
【先行技術文献】
【特許文献】
【０００３】
【特許文献１】特開２００４−１２６２２６号公報
【発明の概要】
【発明が解決しようとする課題】
【０００４】
ところで、この種の表示装置では、光学系が収納されるハウジング内の表示光の光路に塵埃等の異物が介入した場合、投影される表示画像の品質が劣化してしまう虞がある。
【０００５】
本発明は、上記事由に鑑みてなされたものであり、異物の侵入を抑制することができる表示装置を提供することを目的とする。
【課題を解決するための手段】
【０００６】
上記目的を達成するため、本発明に係る表示装置は、
表示光を空間に向けて出射するプロジェクタユニットと、
前記プロジェクタユニットが固定され、前記空間の一部を覆うベース部材と、
前記プロジェクタユニットおよび前記ベース部材に装着されることにより、前記プロジェクタユニットおよび前記ベース部材とともに前記空間を覆うカバーと、を備え、
前記カバーの端部には、前記端部の厚さ方向に並ぶ複数の端面と、前記複数の端面のうちの隣り合う２つの端面の間に介在し前記隣り合う２つの端面に交差する段差面と、が設けられ、
前記プロジェクタユニット及び前記ベース部材の少なくとも一方における前記カバーの端部に接触する部位には、前記端面に当接する第１当接面と、前記段差面に当接する第２当接面と、が設けられる。
【発明の効果】
【０００７】
本発明によれば、異物の侵入を抑制することができる表示装置を提供できる。
【図面の簡単な説明】
【０００８】
【図１】本発明の実施形態に係るヘッドアップディスプレイ装置の全体構成を示す概略図である。
【図２】実施形態に係る表示装置の分解斜視図である。
【図３】実施形態に係る表示装置の分解斜視図である。
【図４】実施形態に係る装置カバーの斜視図である。
【図５】実施形態に係る表示装置について図２および図３の破線で囲んだ部分Ａ２１、Ａ２２の断面図であり、（Ａ）は装置カバーがベース部材に固定される前の状態を示す図であり、（Ｂ）は装置カバーがベース部材に固定された状態を示す図である。
【図６】実施形態に係る表示装置について図２および図３の破線で囲んだ部分Ａ１１、Ａ１２の断面図であり、（Ａ）は装置カバーがベース部材に固定される前の状態を示す図であり、（Ｂ）は装置カバーがベース部材に固定された状態を示す図である。
【図７】比較例に係る表示装置についての部分断面図であり、（Ａ）は装置カバーがベース部材に固定される前の状態を示す図であり、（Ｂ）は装置カバーがベース部材に固定された状態を示す図である。
【図８】比較例に係る表示装置についての部分断面図であり、（Ａ）は装置カバーがベース部材に固定される前の状態を示す図であり、（Ｂ）は装置カバーがベース部材に固定された状態を示す図である。
【図９】変形例に係るプロジェクタユニットの斜視図である。
【図１０】変形例に係る表示装置についての部分断面図であり、（Ａ）は装置カバーがベース部材に固定される前の状態を示す図であり、（Ｂ）は装置カバーがベース部材に固定された状態を示す図である。
【図１１】変形例に係る表示装置についての部分断面図であり、（Ａ）は装置カバーがベース部材に固定される前の状態を示す図であり、（Ｂ）は装置カバーがベース部材に固定された状態を示す図である。
【発明を実施するための形態】
【０００９】
以下に、本発明の一実施形態に係るヘッドアップディスプレイ装置について添付図面を参照しながら説明する。このヘッドアップディスプレイ装置は、例えば自動車等の車両に搭載される。図１に示すように、ヘッドアップディスプレイ装置１は、上ケース２と下ケース９と表示装置１０とブラインドカバー６と平面鏡４と凹面鏡３とカバーガラス５とを備える。表示装置１０とブラインドカバー６と平面鏡４と凹面鏡３とは、上ケース２と下ケース９とで囲まれた領域内に配置されている。カバーガラス５は、上ケース２の周壁の一部に設けられた開口部２ａを覆うように配置されている。
【００１０】
このヘッドアップディスプレイ装置１では、表示装置１０から出射した表示光Ｌが、平面鏡４および凹面鏡３で順に反射されてカバーガラス５を通じて車両のフロントガラスＦに照射される。そして、搭乗者Ｐは、フロントガラスＦに照射された表示光Ｌを視認できる。表示光Ｌによる表示内容としては、例えば各種車両情報やナビゲーション情報等が挙げられる。
【００１１】
表示装置１０は、図２および図３に示すように、プロジェクタユニット１１と、第１反射ユニット１２と、第２反射ユニット１３と、スクリーン１６と、プロジェクタユニット１１、第１反射ユニット１２、第２反射ユニット１３およびスクリーン１６が取着されたベース部材１４と、を備える。また、表示装置１０は、プロジェクタユニット１１を制御する制御回路基板１５と、制御回路基板１５を支持する基板ホルダ１７２と、制御回路基板１５における基板ホルダ１７２側とは反対側を覆う基板カバー１７１と、を備える。更に、表示装置１０は、ベース部材１４における、スクリーン１６側とは反対側に、プロジェクタユニット１１、第１反射ユニット１２および第２反射ユニット１３を覆うように配置される装置カバー１８を備える。
【００１２】
プロジェクタユニット１１は、略直方体の本体部１１１と、本体部１１１の１つの側面に設けられた外形が略円柱状のレンズ部１１２と、本体部１１１におけるレンズ部１１２が設けられる側面と略直交する他の側面に設けられた放熱フィン部１１３と、本体部１１１を保持するホルダ１１４と、を備える。本体部１１１は、樹脂材料あるいは金属材料からなる筐体に、レンズ部１１２及び放熱フィン部１１３のほかＬＥＤ等の光源、ＤＭＤ（Didital  Micromirror  Device）などの表示素子及びミラーやプリズムなどの光学部材を収容してなる。ホルダ１１４は、長方形板状でありベース部材１４に立設されてレンズ部１１２側の一部を覆う立設部１１４ａと、立設部１１４ａの基端部から立設部１１４ａの厚さ方向へ延出する固定部１１４ｂと、図示しない本体部１１１が載置される載置部と、から構成される。プロジェクタユニット１１は、立設部１１４ａに対して螺子により固定されている。立設部１１４ａには、レンズ部１１２よりも大径の孔１１４ｃが形成されている。プロジェクタユニット１１は、この孔１１４ｃにレンズ部１１２が挿通された状態で固定部１１４ｂを螺子でベース部材１４に固定することによってベース部材１４に対して固定される。立設部１１４ａにおける後述の装置カバー１８の隔壁１８３の端部に対応する部位は、図２、図３および図６（Ａ）に示すように、その先端部に薄肉部１４２１が設けられる。図２および図３の破線で囲んだ部分Ａ１１、Ａ１２について見ると、薄肉部１４２１の端面１４２１ａと立設部１１４ａにおける薄肉部１４２１以外の部位の薄肉部１４２１側の端面１４２１ｂとは、後述の隔壁１８３の端面１８３１ａ、１８３１ｂに当接する第１当接面を構成している。薄肉部１４２１の側面１４２１ｃは、後述の段差面１８３１ｃに当接する第２当接面を構成している。放熱フィン部１１３は、板状の主片１１３ａと、主片１１３ａの一面に立設されたフィン１１３ｂと、を有する。このプロジェクタユニット１１は、レンズ部１１２から第１反射ユニット１２に向けて表示光を出射するように配置されている。このプロジェクタユニット１１は、制御回路基板１５とフレキシブルプリント配線板（図示せず）を介して電気的に接続されている。そして、プロジェクタユニット１１は、制御回路基板１５からフレキシブルプリント配線板を通じて送られてくる制御信号に応じた表示光を第１反射ユニット１２へ照射する。
【００１３】
第１反射ユニット１２と第２反射ユニット１３とは、それぞれミラーを有し、プロジェクタユニット１１から出射される表示光をミラーで反射することにより、表示光をスクリーン１６へ導くためのものである。第１反射ユニット１２は、プロジェクタユニット１１から出射される表示光を最初に反射するように配置されている。第２反射ユニット１３は、第１反射ユニット１２で反射された表示光をベース部材１４に設けられた後述の開口部１４１ａに向けて反射するように配置されている。
【００１４】
スクリーン１６は、透過型スクリーンであり、プロジェクタユニット１１から出射された表示光が結像される。
【００１５】
装置カバー１８は、一面が開放された箱状であり、一面側からベース部材１４に装着される。装置カバー１８の内側には、図４に示すように、隔壁１８３が立設されている。そして、装置カバー１８の内側の空間は、隔壁１８３により、第１空間１８ａと第２空間１８ｂとに区切られている。第１空間１８ａには、装置カバー１８がベース部材１４に装着された状態において、第１反射ユニット１２、第２反射ユニット１３およびプロジェクタユニット１１のレンズ部１１２および放熱フィン部１１３の一部が配置される。第２空間１８ｂには、装置カバー１８がベース部材１４に装着された状態において、プロジェクタユニット１１の本体部１１１および放熱フィン部１１３の残りの部分、基板カバー１７１の一部および基板ホルダ１７２の一部が配置される。また、装置カバー１８は、底壁１８１と、隔壁１８３とともに第１空間１８ａの側方を覆う第１側壁１８２と、隔壁１８３とともに第２空間１８ｂの側方を覆う第２側壁１８４と、を備える。第１側壁１８２と第２側壁１８４との間の境界部分の内側は、隔壁１８３の周縁部が接続される箇所に相当する。
【００１６】
隔壁１８３の端部には、第１空間１８ａ側の端面１８３１ｂが第２空間１８ｂ側の端面１８３１ａに比べて底壁１８１から離れる方向に突出するような段差形状となるように形成されている。また、隔壁１８３は、底壁１８１に立設され第１空間１８ａと第２空間１８ｂの並び方向に直交する方向に並んだ３つのサブ隔壁１８３２、１８３４、１８３６と、サブ隔壁１８３２，１８３４と交差するように底壁１８１に立設されサブ隔壁１８３２、１８３４に連続するサブ隔壁１８３３と、サブ隔壁１８３４，１８３６と交差するように底壁１８１に立設されサブ隔壁１８３４、１８３６に連続するサブ隔壁１８３５とから構成される。即ち、隔壁１８３は、階段状に屈曲された板状に形成されている。また、隔壁１８３のサブ隔壁１８３４、１８３５には、プロジェクタユニット１１が嵌まるような凹部１８３７が形成されている。第１側壁１８２の端部の２箇所には、舌片部１８２２、１８２３が設けられている。各舌片部１８２２、１８２３には、装置カバー１８をベース部材１４に固定するための螺子（図示せず）が挿通される貫通孔１８２ａ、１８２ｂが貫設されている。また、第２側壁１８４の端部の一箇所にも舌片部１８４２が設けられている。この舌片部１８４２にも、装置カバー１８をベース部材１４に固定するための螺子（図示せず）が挿通される貫通孔１８４ａが貫設されている。サブ隔壁１８３６の端部は、放熱フィン部１１３の主片１１３ａの凹部に嵌まり込んでいる。また、サブ隔壁１８３５の端部は、放熱フィン部１１３の主片１１３ａとプロジェクタユニット１１の本体部１１１との間に嵌まり込んでいる。
【００１７】
第１側壁１８２のベース部材１４側の端部には、図２および図３に示すように、薄肉部１８２１が設けられている。そして、薄肉部１８２１の端面１８２１ｂと第１側壁１８２における薄肉部１８２１以外の部位の薄肉部１８２１側の端面１８２１ａとは、第１側壁１８２の厚さ方向に並ぶ２つの端面を構成している。２つの端面１８２１ａ，１８２１ｂは異なる高さに位置する。薄肉部１８２１の側面は、隣り合う２つの端面１８２１ａ、１８２１ｂの間に介在し２つの端面１８２１ａ、１８２１ｂに交差する段差面１８２１ｃを構成している。
【００１８】
また、隔壁１８３のベース部材１４側の端部にも、図２および図３に示すように、薄肉部１８３１が設けられている。薄肉部１８２１の端面１８３１ｂと隔壁１８３における薄肉部１８２１以外の部位の薄肉部１８２１側の端面１８３１ａとは、隔壁１８３の厚さ方向に並ぶ２つの端面を構成している。２つの端面１８３１ａ，１８３１ｂは異なる高さに位置する。薄肉部１８３１の側面は、隣り合う２つの端面１８３１ａ、１８３１ｂの間に介在し２つの端面１８３１ａ、１８３１ｂに交差する段差面１８３１ｃを構成している。
【００１９】
第２側壁１８４には、基板カバー１７１および基板ホルダ１７２の外面に沿った形状を有する切欠部１８４３が設けられている。そして、第２側壁１８４の端部の一部および切欠部１８４３の周縁に沿った端部における内側には、第２側壁１８４の端縁に沿って段差面１８４１が設けられている。
【００２０】
ベース部材１４は、図２および図３に示すように、本体部１４１とスクリーン１６が固定されるスクリーン固定部１４３と、を有する。本体部１４１は、一部に開口部１４１ａが貫設された基板１４１１と、基板１４１１の一部に突設された台座部１４１２と、基板１４１１の周縁の一部に立設する側片１４１３と、を有する。基板１４１１の開口部１４１ａの外周部には、第２反射ユニット１３が螺子により固定されている。台座部１４１２には、第１反射ユニット１２が螺子により固定されている。また、基板１４１１の周部の２箇所には、装置カバー１８をベース部材１４に固定するための螺子が螺着される螺子孔１４１１ａ、１４１１ｃが穿設されている。また、台座部１４１２の１箇所にも、装置カバー１８をベース部材１４に固定するための螺子が螺着される螺子孔１４１２ａが穿設されている。装置カバー１８は、装置カバー１８の貫通孔１８２ａ、１８２ｂ、１８４ａそれぞれに挿通された螺子を、ベース部材１４の螺子孔１４１２ａ、１４１１ａ、１４１１ｃに螺着することにより、ベース部材１４に固定される。
【００２１】
基板１４１１における、第２反射ユニット１３が固定された部位と基板１４１１の周縁との間の部位には、第２反射ユニット１３の外周部に沿って延伸する第１溝部１４１１ｂが設けられている。また、台座部１４１２には、その装置カバー１８側の面における第１反射ユニット１２が固定された部位の外周部からその側面を通って基板１４１１の第１溝部１４１１ｂに連通する第２溝部１４１２ｂが設けられている。
【００２２】
図２および図３の破線で囲んだ部分Ａ２１、Ａ２２について見ると、図５（Ａ）に示すように、第２溝部１４１２ｂより外周側に位置する外周部１４１２ｃと第２溝部１４１２ｂの底部１４１２ｄとは、第１側壁１８２の端面１８２１ａ、１８２１ｂに当接する当接面を構成している。また、第２溝部１４１２ｂの外周部１４１２ｃと底部１４１２ｄとの間に介在する内側面１４１２ｅは、第１側壁１８２の段差面１８２１ｃに当接する段差面を構成している。第１溝部１４１１ｂの外周部と底部も、第１側壁１８２の端面１８２１ａ、１８２１ｂに当接する当接面を構成し、第１溝部１４１１ｂの外周部と底部との間に介在する内側面も、第１側壁１８２の段差面１８２１ｃに当接する段差面を構成している。
【００２３】
図２および図３に戻って、スクリーン固定部１４３は、基板１４１１に設けられた開口部１４１ａを囲むように立設されている。スクリーン１６は、このスクリーン固定部１４３の先端部を覆った状態で、その周部全体がスクリーン固定部１４３の先端部に固定されている。
【００２４】
図３に示すように、側片１４１３における装置カバー１８の第１側壁１８２の端部に対応する部位には、薄肉部１４１５が設けられている。そして、薄肉部１４１５の端面１４１５ｂと側片１４１３における薄肉部１４１５以外の端面（図示せず）とは、第１側壁１８２の端面１８２１ａ、１８２１ｂに当接する第１当接面を構成している。薄肉部１４１５の内側の側面（図示せず）は、段差面１８２１ｃに当接する第２当接面を構成している。また、側片１４１３における装置カバー１８の第２側壁１８４の端部に対応する部位にも、薄肉部１４１６が設けられている。
【００２５】
図２に示すように、基板カバー１７１の外面には、外鍔部１７１１が設けられている。外鍔部１７１１は、装置カバー１８の第２側壁１８４に対応する範囲に亘って、基板カバー１７１の長手方向に沿うように延びる。また、図３に示すように、基板ホルダ１７２の外面には、外鍔部１７２１が設けられている。外鍔部１７２１は、装置カバー１８の第２側壁１８４に対応する範囲に亘って、基板ホルダ１７２の長手方向に沿うように延びる。基板カバー１７１が基板ホルダ１７２に固定された状態で、外鍔部１７１１、１７２１の延伸方向における一端部（図３の上端）が互いに当接している。装置カバー１８がベース部材１４に固定された状態では、外鍔部１７１１、１７２１が、装置カバー１８の第２側壁１８４の切欠部１８４３の端縁に沿って設けられた段差面１８４１に係合する。
【００２６】
次に、本実施の形態に係る表示装置１０の特徴について比較例と比較しながら説明する。比較例に係る表示装置では、図７（Ａ）に示すように、装置カバーの第１側壁９８２の端面９８２１とベース部材の台座部９４１２の上面９４１２ｃとが、平坦面になっている。そして、装置カバーがベース部材に固定された状態では、図７（Ｂ）に示すように、第１側壁９８２の端面９８２１と台座部９４１２の上面９４１２ｃとが面接触した状態となる。この場合、第１側壁９８２と台座部９４１２との間の境界部分の最短距離Ｌ１００は、第１側壁９８２の厚さの略同じになる。
【００２７】
一方、本実施の形態に係る表示装置１０では、図５（Ａ）および（Ｂ）に示すように、第１側壁１８２と台座部１４１２との間の境界部分の最短距離Ｌ１は、第１側壁１８２の厚さＬ１００よりも段差面１８２１ｃと第２溝部１４１２ｂの内側面１４１２ｅとが当接した部分の長さＬ１１だけ長くなる。
【００２８】
また、比較例に係る表示装置では、図８（Ａ）に示すように、装置カバーの隔壁９８３の端面９８３１とホルダの立設部９１４ａの端面９４２１とが、平坦面になっている。そして、装置カバーがベース部材に固定された状態では、図８（Ｂ）に示すように、隔壁９８３の端面９８３１と立設部９１４ａの端面９４２１とが面接触した状態となる。この場合、隔壁９８３と立設部９１４ａとの間の境界部分の最短距離Ｌ１０１は、隔壁９８３と立設部９１４ａとのうちの厚さの薄い方の厚さの略同じになる。
【００２９】
一方、本実施の形態に係る表示装置１０では、図６（Ａ）および（Ｂ）に示すように、隔壁１８３と立設部１１４ａとの間の境界部分の最短距離Ｌ２は、隔壁１８３の厚さと立設部１１４ａの厚さとのうちの薄い方の厚さＬ１０１よりも段差面１８３１ｃ、側面１４２１ｃ同士が当接した部分の長さＬ１２だけ長くなる。
【００３０】
ここにおいて、異物が、第１側壁１８２と台座部１４１２との間の境界部分または隔壁１８３と立設部１１４ａとの間の境界部分を介して第１反射ユニット１２および第２反射ユニット１３側へ侵入するとする。この場合、本実施の形態に係る表示装置１０の第１側壁１８２と台座部１４１２との間の境界部分の最短距離は、比較例のそれに比べて長さＬ１１だけ長い。また、表示装置１０の隔壁１８３と立設部１１４ａとの間の境界部分の最短距離は、比較例のそれに比べて長さＬ１２だけ長い。このように、本実施の形態に係る表示装置１０の各境界部分の最短距離は、比較例に係るそれに比べて長く、その分、比較例に比べて異物が第１反射ユニット１２および第２反射ユニット１３側へ侵入しにくい。また、第１側壁１８２と台座部１４１２との間の境界部分または隔壁１８３と立設部１１４ａとの間の境界部分からなる侵入経路は、直線状では無く、屈曲した形状である。これにより、上記境界部分において異物の移動が例えば段差面１８２１ｃ、１８３１ｃにより規制されるので異物が第１空間１８ａ内へ侵入しにくくなっている。更に、本実施の形態に係る表示装置１０は、図６（Ａ）および（Ｂ）における下から上に向かう方向に重力が作用するように設置されるのが一般的である。この場合、本実施の形態のように上記境界部分に段差面１８２１ｃ、１８３１ｃがあると、異物は上記境界部分における段差面１８２１ｃ、１８３１ｃに対応する部分において異物が第１空間１８ａ内に侵入するためには重力に逆らって移動しなければならない状態となっている。従って、異物をより効果的に抑制できる。
【００３１】
以上説明したように、本実施の形態に係る表示装置１０では、装置カバー１８の第１側壁１８２のベース部材１４側の端部に、第１側壁１８２の端部の厚さ方向に並ぶ２つの端面１８２１ａ、１８２１ｂと、隣り合う２つの端面１８２１ａ、１８２１ｂの間に介在し２つの端面１８２１ａ、１８２１ｂに交差する段差面１８２１ｃと、が設けられている。また、ベース部材１４における第１側壁１８２の端部に対応する台座部１４１２には、端面１８２１ａ、１８２１ｂに当接する第２溝部１４１２ｂの外周部１４１２ｃ、底部１４１２ｄと、段差面１８２１ｃに当接する第２溝部１４１２ｂの内側面１４１２ｅと、が設けられている。これにより、第１側壁１８２とベース部材１４との間の境界部分の最短距離を長くすることができるので、その分、異物が第１側壁１８２とベース部材１４との間の境界部分を通って第１反射ユニット１２および第２反射ユニット１３側へ侵入しにくくなる。
【００３２】
また、表示装置１０では、装置カバー１８の隔壁１８３のベース部材１４側の端部に、隔壁１８３の端部の厚さ方向に並ぶ２つの端面１８３１ａ、１８３１ｂと、隣り合う２つの端面１８３１ａ、１８３１ｂの間に介在し２つの端面１８３１ａ、１８３１ｂに交差する段差面１８３１ｃとが設けられている。また、ホルダ１１４の端面１４２１ａ、１４２１ｂが、隔壁１８３の端面１８３１ａ、１８３１ｂに当接する第１当接面を構成し、ホルダ１１４の薄肉部１４２１の側面１４２１ｃが、段差面１８３１ｃに当接する第２当接面を構成している。これにより、隔壁１８３とベース部材１４との間の境界部分の最短距離を長くすることができるので、その分、異物が隔壁１８３とベース部材１４との間の境界部分を通って第１反射ユニット１２および第２反射ユニット１３側へ侵入しにくくなる。このように、表示装置１０では、異物が第１反射ユニット１２および第２反射ユニット１３が配置された空間へ侵入しにくくなっているので、第１反射ユニット１２または第２反射ユニット１３への異物の付着を抑制して表示画像の品質を維持することができる。
【００３３】
また、本実施の形態に係る第１反射ユニット１２および第２反射ユニット１３は、第１空間１８ａ内に位置している。これにより、第１反射ユニット１２および第２反射ユニット１３への異物の付着を抑制できる。
【００３４】
更に、本実施の形態に係る第１側壁１８２の端部には、薄肉部１８２１が設けられ、隔壁１８３の端部にも、薄肉部１８３１が設けられている。そして、第１側壁１８２の端部に設けられた薄肉部１８２１の端面と、第１側壁１８２における薄肉部１８２１以外の部位の薄肉部１８２１側の端面とは、第１側壁１８２の厚さ方向に並ぶ２つの端面１８２１ａ、１８２１ｂを構成している。薄肉部１８２１の側面は、２つの端面１８２１ａ、１８２１ｂの間に介在する段差面１８２１ｃを構成している。隔壁１８３の端部に設けられた薄肉部１８３１の端面と、隔壁１８３における薄肉部１８３１以外の部位の薄肉部１８３１側の端面とは、隔壁１８３の厚さ方向に並ぶ２つの端面１８３１ａ、１８３１ｂを構成している。薄肉部１８３１の側面は、２つの端面１８３１ａ、１８３１ｂの間に介在する段差面１８３１ｃを構成している。このように、第１側壁１８２、隔壁１８３の端部に薄肉部１８２１、１８３１を設けた比較的簡単な構造で、第１反射ユニット１２または第２反射ユニット１３への異物の付着を抑制することができる。
【００３５】
また、本実施の形態に係る装置カバー１８は、装置カバー１８とベース部材１４との間の生じる空間を、第１反射ユニット１２および第２反射ユニット１３が配置される空間とプロジェクタユニット１１が配置される空間とに分割するように配置された隔壁１８３を備える。これにより、例えばプロジェクタユニット１１が表示装置１０の外部に連通する空冷用の連通孔を備える構成の場合、プロジェクタユニット１１の連通孔を介してプロジェクタユニット１１内に侵入した異物が、第１反射ユニット１２および第２反射ユニット１３が配置される空間に放出されることを防止できる。
【００３６】
更に、本実施の形態に係るベース部材１４では、第２溝部１４１２ｂの外周部１４１２ｃと底部１４１２ｄとが、第１側壁１８２の端面１８２１ａ、１８２１ｂに当接する第１当接面を構成している。また、第２溝部１４１２ｂの外周部１４１２ｃと底部１４１２ｄとの間に介在する内側面１４１２ｅは、第１側壁１８２の段差面１８２１ｃに当接する第２当接面を構成している。このように、ベース部材１４に第２溝部１４１２ｂを設けた比較的簡単な構造で、第１反射ユニット１２または第２反射ユニット１３への異物の付着を抑制することができる。
【００３７】
［変形例］
以上、本発明の実施の形態について説明したが、本発明は前述の実施の形態の構成に限定されるものではない。例えば、図９に示すプロジェクタユニット５０１１のように、本体部５１１１のレンズ部５１１２を囲む第１部位５１１４の上端部に、その厚さ方向に並ぶ２つの端面５１１４ａ，５１１４ｂおよび段差面５１１４ｃが設けられていてもよい。また、本体部５１１１の第１部位５１１４以外の第２部位５１１５の上端部および側端部に、その厚さ方向に並ぶ２つの端面５１１５ａ，５１１５ｂおよび段差面５１１５ｃが設けられていてもよい。なお、図９に示すプロジェクタユニット５０１１は、実施の形態に係るプロジェクタユニット１１と同様に、本体部５１１１とレンズ部５１１２と放熱フィン部５１１３とを備え、プロジェクタユニット１１と異なりホルダを備えない。
【００３８】
このプロジェクタユニット５０１１では、第１部位５１１４の２つの端面５１１４ａ、５１１４ｂが、それぞれ装置カバー１８の隔壁１８３の端面１８３１ａ、１８３１ｂに当接する第１当接面を構成し、段差面５１１４ｃが隔壁１８３の段差面１８３１ｃに当接する第２当接面を構成する。第２部位５１１５の２つの端面５１１５ａ、５１１５ｂおよび段差面５１１５ｃも、第１部位５１１４と同様に、第１当接面および第２当接面を構成する。
【００３９】
前述の実施の形態では、隔壁１８３の２つの端面１８３１ａ、１８３１ｂと段差面１８３１ｃとが互いに直交する例について説明した。これに限らず、例えば図１０（Ａ）に示すように、隔壁１８３の端部に、傾斜面２８３１ｃを有する薄肉部２８３１を設けるとともに、ホルダ１１４の立設部１１４ａの端部に、傾斜面２８３１ｃに当接する傾斜面２４２１ｃを有する薄肉部２４２１を設けたものであってもよい。薄肉部２８３１の先端の端面２８３１ｂと隔壁１８３における薄肉部１８２１以外の部位の薄肉部２８３１側の端面２８３１ａとは、隔壁１８３の厚さ方向に並んでいる。傾斜面２８３１ｃは、２つの端面２８３１ａ、２８３１ｂの間に介在している。薄肉部２４２１の先端の端面２４２１ａと立設部１１４ａにおける薄肉部２４２１以外の部位の薄肉部２４２１側の端面２４２１ｂとは、それぞれ隔壁１８３の端面２８３１ａ、２８３１ｂに当接する当接面を構成している。
【００４０】
この変形例に係る表示装置でも、図１０（Ｂ）に示すように、隔壁１８３と立設部１１４ａとの間の境界部分の最短距離Ｌ３は、隔壁１８３の厚さよりも長くなる。
【００４１】
前述の実施の形態では、隔壁１８３が２つの端面１８３１ａ、１８３１ｂを有し、ホルダ１１４の立設部１１４ａの端面１４２１ａ、１４２１ｂが、隔壁１８３の２つの端面１８３１ａ、１８３１ｂに当接する当接面を構成する例について説明した。但し、隔壁１８３の厚さ方向に並ぶ端面の数は、２つに限定されるものではない。例えば、図１１（Ａ）に示すように、隔壁１８３の端部のその厚さ方向における略中央部に薄肉部３８３１を設けるとともに、ホルダ１１４の立設部１１４ａの端部のその厚さ方向に並ぶ２つの薄肉部３４２１を設けたものであってもよい。隔壁１８３における薄肉部３８３１以外の部位の薄肉部３８３１側の２つの端面３８３１ａは、薄肉部３８３１の先端の端面３８３１ｂに対してその隔壁１８３の厚さ方向における両側に並んでいる。１つの端面３８３１ｂと２つの端面３８３１ａそれぞれとの間には、段差面３８３１ｃが介在している。立設部１１４ａの２つの薄肉部３４２１それぞれの先端の端面３４２１ａは、隔壁１８３の２つの端面３８３１ａに当接する当接面を構成している。立設部１１４ａにおける２つの薄肉部２４２１以外の部位の薄肉部２４２１側の端面３４２１ｂは、隔壁１８３の端面３８３１ｂに当接する当接面を構成している。２つの薄肉部３４２１の互いに対向する側の側面は、段差面３８３１ｃに当接する段差面３４２１ｃを構成している。
【００４２】
この変形例に係る表示装置でも、図１１（Ｂ）に示すように、隔壁１８３と立設部１１４ａとの間の境界部分の最短距離Ｌ４は、隔壁１８３と立設部１１４ａとのうちの厚さの薄い方の厚さよりも段差面３８３１ｃ、３４２１ｃ同士が当接した部分の長さＬ３１の２倍の長さだけ長くなる。
【００４３】
前述の実施の形態では、装置カバー１８の隔壁１８３の端部に段差面１８３１ｃが設けられ、ホルダ１１４の立設部１１４ａの端面１４２１ａ、１４２１ｂが第１当接面を構成し、立設部１１４ａの先端部の側面１４２１ｃが第２当接面を構成する例について説明した。これに限らず、例えば装置カバー１８の隔壁１８３の端部に段差面が存在しない構成であってもよい。装置カバー１８の第１側壁１８２、第２側壁１８４の端部についても同様である。
【００４４】
本構成によれば、装置カバー１８の端部に段差面を形成するための加工が不要となるので装置カバー１８の製造工程の簡素化を図ることができる。
【符号の説明】
【００４５】
１：ヘッドアップディスプレイ装置、２：上ケース、２ａ，１４１ａ：開口部、３：凹面鏡、４：平面鏡、５：カバーガラス、６：ブラインドカバー、９：下ケース、１０：表示装置、１１，５０１１：プロジェクタユニット、１２：第１反射ユニット、１３：第２反射ユニット、１４：ベース部材、１５：制御回路基板、１６：スクリーン、１８：装置カバー、１８ａ：第１空間、１８ｂ：第２空間、１１１，５１１１：本体部、１１２，５１１２：レンズ部、１１３，５１１３：放熱フィン部、１１３ａ：主片、１１３ｂ：フィン、１１４，５１１６：ホルダ、１１４ａ：立設部、１１４ｂ：固定部、１１４ｃ：孔、１４１：本体部、１４１ａ：開口部、１４３：スクリーン固定部、１７１：基板カバー、１７２：基板ホルダ、１８１：底壁、１８２：第１側壁、１８２ａ，１８２ｂ，１８４ａ：貫通孔、１８３：隔壁、１８４：第２側壁、１４１１：基板、１４１１ａ，１４１１ｃ，１４１２ａ：螺子孔、１４１１ｂ：第１溝部、１４１２：台座部、１４１２ｂ：第２溝部、１４１２ｃ：外周部、１４１２ｄ：底部、１４１２ｅ：内側面、１４１３：側片、１４１５，１４１６，１４２１，１８２１，１８３１，２４２１，２８３１，３４２１，３８３１：薄肉部、１４２１ｃ：側面、１８２１ｃ，１８３１ｃ，１８４１，３４２１ｃ，３８３１ｃ，５１１４ｃ，５１１５ｃ：段差面、１７１１，１７２１：外鍔部、１４１５ｂ，１４２１ａ，１４２１ｂ，１８２１ａ，１８２１ｂ，１８３１ａ，１８３１ｂ，２４２１ａ，２４２１ｂ，２８３１ａ，２８３１ｂ，３４２１ａ，３４２１ｂ，３８３１ａ，３８３１ｂ，５１１４ａ，５１１４ｂ，５１１５ａ，５１１５ｂ：端面、１８２２，１８２３，１８４２：舌片部、１８３２，１８３３，１８３４，１８３５，１８３６：サブ隔壁、１８３７：凹部、１８４３：切欠部、２４２１ｃ，２８３１ｃ：傾斜面、５１１４：第１部位、５１１５：第２部位、Ｆ：フロントガラス、Ｌ：表示光
【図１】
2017167293.tif 000003
【図２】
2017167293.tif 000004
【図３】
2017167293.tif 000005
【図４】
2017167293.tif 000006
【図５】
2017167293.tif 000007
【図６】
2017167293.tif 000008
【図７】
2017167293.tif 000009
【図８】
2017167293.tif 000010
【図９】
2017167293.tif 000011
【図１０】
2017167293.tif 000012
【図１１】
2017167293.tif 000013